(57)【特許請求の範囲】
【請求項１】
バイオマス発電所からの燃焼排ガスを利用した閉じ込められた空間における害虫抑制方法であって、
その方法は、バイオマス発電所からの燃焼排ガスを処理して二酸化炭素の体積濃度が85v. %を超える処理燃焼排ガスを発生させる工程と、モードIIによって前記閉じ込められた空間の害虫抑制を行う工程を含むことを特徴とする、害虫抑制方法。
モードII：疾病や害虫が作物の植付過程において発生した時、前記閉じ込められた空間において処理燃焼排ガスを連続的に通気し、前記閉じ込められた空間の温度を15〜35℃に、ガス圧を0.110〜0.140MPa（絶対圧）に、前記閉じ込められた空間の二酸化炭素の体積濃度を50〜90 v. %に到達させ、それぞれの燃焼排ガスの連続的な導入時間を15〜60分に制御し、その後圧力が通常に戻り、二酸化炭素の体積濃度が5 v. %以下に下がるまで処理燃焼排ガスの導入を停止し、2〜10時間の間隔の後、前記閉じ込められた空間において処理燃焼排ガスを通気することを3〜10回繰り返す。
【請求項２】
前記閉じ込められた空間は温室やビニールハウスであることを特徴とする、請求項１の方法。
【請求項３】
さらに、
モードI：休閑期間の間、前記閉じ込められた空間において、処理燃焼排ガスを連続的に通気して、前記閉じ込められた空間のガス圧を0.110〜0.140MPa（絶対圧）、前記閉じ込められた空間の二酸化炭素の体積濃度を50〜90 v. %に到達させ、一定の保持時間の後、前記閉じ込められた空間が通常の状態に戻るまで、燃焼排ガスの通気を停止する、
によって、前記閉じ込められた空間の害虫抑制を行う工程を含むことを特徴とする、請求項１に記載の害虫抑制方法。
【請求項４】
モードIにおいて、前記閉じ込められた空間は、高温で蒸し暑い期間であり、前記閉じ込められた空間の温度は40〜75℃であり、
前記閉じ込められた空間は、処理燃焼排ガスで8〜12日間継続的に通気され、
前記閉じ込められた空間の圧力は0.110〜0.120MPa（絶対圧）であり
前記閉じ込められた空間の二酸化炭素の体積濃度は80〜90 v. %であることを特徴とする、請求項３に記載の害虫抑制方法。
【請求項５】
バイオマス発電所からの燃焼排ガスは気液分離と圧力スイング吸着によって処理され、吸着剤は特定の二酸化炭素の選択的吸着剤であり、吸着圧力は0.5〜1.5MPaであることを特徴とする、請求項１に記載の方法。
【請求項６】
前記特定の二酸化炭素の選択的吸着剤は、シリカゲル、活性炭、またはモレキュラーシーブであることを特徴とする、請求項５に記載の方法。
【請求項７】
前記閉じ込められた空間に入る処理燃焼排ガスの圧力は、0.30〜0.50MPaであることを特徴とする、請求項１に記載の方法。
【請求項８】
バイオマス発電所からの燃焼排ガスを利用した閉じ込められた空間における害虫抑制システムであって、
前記システムは、燃焼排ガス処理装置と、処理燃焼排ガスの貯蔵タンクと、制御装置を含み、
前記燃焼排ガス処理装置の排出管は処理燃焼排ガスの貯蔵タンクに接続され、前記処理燃焼排ガスの貯蔵タンクは前記閉じ込められた空間に接続されており、
第一調整弁は前記処理燃焼排ガスの貯蔵タンクと前記閉じ込められた空間の間のガス注入管に配置されており、
第一圧力監視センサと二酸化炭素濃度監視センサと温度監視センサは、前記閉じ込められた空間内に配置され、第一大気弁は前記閉じ込められた空間の上方に配置されており、
制御装置は第一圧力監視センサと二酸化炭素濃度監視センサと温度監視センサに接続され、それらからの検出信号を受信しており、
制御装置は第一調整弁と第一大気弁に接続され、開度を調整し、閉じ込められた空間における、圧力や二酸化炭素濃度の範囲をそれぞれ調整し、
前記燃焼排ガス処理装置によって二酸化炭素の体積濃度が85v. %を超える処理燃焼排ガスが発生させられ、
前記制御装置によって、疾病や害虫が作物の植付過程において発生した時、前記閉じ込められた空間において処理燃焼排ガスを連続的に通気し、前記閉じ込められた空間の温度を15〜35℃に、ガス圧を0.110〜0.140MPa（絶対圧）に、前記閉じ込められた空間の二酸化炭素の体積濃度を50〜90 v. %に到達させ、それぞれの燃焼排ガスの連続的な導入時間を15〜60分に制御し、その後圧力が通常に戻り、二酸化炭素の体積濃度が5 v. %以下に下がるまで処理燃焼排ガスの導入を停止し、2〜10時間の間隔の後、前記閉じ込められた空間において処理燃焼排ガスを通気することを3〜10回繰り返すように制御されることを特徴とする、システム。
【請求項９】
前記燃焼排ガス処理装置は、気液分離装置、ガス圧縮装置、圧力スイング吸着装置を含み、
前記圧力スイング吸着装置は多重床スイング圧力吸着を採用し、複数の吸着塔が並行に配置されて形成されており、各吸着塔には特定の二酸化炭素の選択的吸着剤が詰まっており、各吸着塔の頂部には第二大気弁が設けられており、底部には吸入分岐管と、排出分岐管として機能する、2本の分岐管がそれぞれ設けられており、各吸入分岐管には吸入調整弁が設けられおり、全ての吸入分岐管は吸入メイン管を形成するように接続されており、各排出分岐管には、排出調整弁が設けられており、全ての排出分岐管は排出メイン管を形成するように接続されており、
前記気液分離装置のガス出口はガス圧縮装置に接続されており、
前記ガス圧縮装置は、前記圧力スイング吸着装置の前記吸入メイン管に接続されており、
前記圧力スイング吸着装置の前記排出メイン管は前記処理燃焼排ガスの貯蔵タンクに接続されていることを特徴とする、請求項8に記載のシステム。
【請求項１０】
前記処理燃焼排ガスの貯蔵タンクには、第二圧力監視センサが設けられており、第二調整弁が前記処理燃焼排ガスの貯蔵タンクの上部に配置されており、前記制御装置は第二圧力監視センサに接続され、そこからの検知信号を受信し、また、第二調整弁に接続され、前記処理燃焼排ガスの貯蔵タンクの出口の圧力が設定圧力に達するように制御することを特徴とする、請求項8に記載のシステム。
【発明の詳細な説明】
【技術分野】
【０００１】
本発明は、農業と環境に優しいエネルギーの分野に関し、特に、バイオマス発電所からの燃焼排ガスを利用した、閉じ込められた空間における害虫抑制のための方法やシステムに関する。
【背景技術】
【０００２】
2010年、中国の温室内の栽培面積は500万ムーを超え、ビニールハウス栽培面積は1000万ムーを超えている。しかし、温室作物は、真菌や細菌の疾病、吸汁害虫、蛾、甲虫などの様々な疾病や害虫に悩まされており、そのうち真菌病、吸汁害虫および蛾が最も深刻な危険である。中国では温室とビニールハウスの向上によって、疾病や害虫の継続時間や流行の度合いは多少増加している。さらに、温室やビニールハウス内の高温高湿な生物学的環境によって、中にいる疾病や害虫の大半が冬を越すことができ、それにより疾病や害虫の流行が毎年おこり素早くひろがり、よって、大きな損害をひきおこし、疾病や害虫抑制の困難さを増している。抑制対策が不適切に行われるならば、容易に、深刻な損害が引き起こされる。
【０００３】
近年、生物学的抑制と物理的抑制の対策は、明白な効果がなく、閉じ込められた空間における害虫抑制の手段は主に科学的抑制に依存している。長い期間、広範囲にわたる化学農薬の使用は、急激に害虫や疾病の農薬抵抗を増加させるだけではなく、環境汚染も引き起こす。一方、疾病の原因となる、真菌や細菌の胞子や菌糸、害虫繁殖の卵、蛹、成熟した幼虫の蓄積量は、その閉じ込められた空間において、大幅に増加する。
【０００４】
経済発展と、人々の生活水準の向上に伴い、大半の人々の生活において、非汚染食品は基本的な必需品になってきた。グリーン農業と有機農業の発展は、政府に重要視され、消費者に好まれてきた。非汚染食品の製造において、人間の体に非常に有害で有毒な化学農薬の使用の限定や禁止をコントロールすることはとても大切である。有機農業においては、どんな種類の合成化学肥料や合成化学農薬の使用も、明確に禁止されてきた。したがって、閉じ込められた空間における、効果的で環境にやさしい害虫抑制の方法を開発することが不可欠で、重要である。
【０００５】
二酸化炭素を用いた害虫抑制に関する研究は、20世紀初頭以来、長い間行われてきた。大規模な貯蔵庫の食品において、害虫抑制のための二酸化炭素の使用可能性について、1918年にオーストラリアで議論されてきた。1985年、ワン ティンクイは、アズキゾウムシを抑制するために二酸化炭素を用い、7日間処理した後の成虫の死亡率は100％であった。また、トリチオキャンパス大麻の試料において成長しているガマシドダニを処置するために二酸化炭素を用い、ガマシドダニの死亡率は100％であった。ジェラルドニコラスは、昆虫に対する二酸化炭素の即時および潜在的な影響を概観した（非特許文献１参照）。チャバネゴキブリは、二酸化炭素の体積濃度40 v.％の存在下で麻痺、死亡し、生物学や生化学の分析により、死骸の体液は深刻に酸性化されており、様々な酵素の活性が阻止されており、二酸化炭素の有毒成分が生成されており、それらが直接死に至らしめたことがわかった。低濃度の二酸化炭素は、バッタの閉じた筋肉弁をゆるめ、弁を常に開いた状態にし、それによって体内の大量の水が失われ、体液の電位がかなり増加し、NaとKのイオンバランスが破壊され、よって体の痙攣をおこし、最終的に死に至らしめた。
【０００６】
上記の実験は、二酸化炭素を用いた害虫抑制において一定の進歩が得られたことを示しており、二酸化炭素を用いた害虫抑制によって引き起こされる薬物抵抗はいまだ報告されていない。しかし、上記の実験は、実験室の研究段階であり、はっきりとした作業指示はまだ開示されていない。そして、ガス源は純粋な二酸化炭素であるので、製造コストが高く、実際の製造や適用ができない。
【０００７】
バイオマス発電所は、ボイラーにおいて、過剰な空気の存在下でバイオマスを燃焼させることを利用しており、発生した高温の燃焼排ガスはボイラーの熱交換部で熱を交換し、発生した高温高圧の蒸気はスチームタービンにおいて膨張しながら発電する。バイオマス発電所で燃焼するバイオマスは、主に麦わら、とうもろこしの茎、わら、もみ殻、綿の茎、農業や林業の収穫によるまたは加工残渣の廃棄物であり、したがって、豊富な資源、広い分布、再生可能、少ない汚染、二酸化炭素に近い放出がないことを特徴とする。燃焼されるバイオマスの種類は、バイオマス発電所によって異なっているので、燃焼排ガスの成分は若干異なっている。一般的に、バイオマス発電所から排出される燃焼排ガスにおける二酸化炭素の体積濃度は、約14 v.%であり、SO2などの汚染物質の含有量は50ppmである。火力発電所から排出される燃焼排ガスと比較して、SO2等の汚染物質の含有量は85 %低く、したがって直接排出物の応用が可能である。
【先行技術文献】
【非特許文献】
【０００８】
【非特許文献１】ジェラルド ニコラス、二酸化炭素の昆虫に及ぼす即時および潜在的な影響、Annual review of entomology、 1989、34、97-116の論文
【発明の概要】
【発明が解決しようとする課題】
【０００９】
二酸化炭素を用いた殺虫や殺菌についての研究と組み合わせて、また、バイオマス発電所からの燃焼排ガスの総合利用に基づいて、本発明の一つの目的は、バイオマス発電所からの燃焼排ガスを利用した閉じ込められた空間における害虫抑制の方法とシステムを提供することである。この方法は、害虫抑制において、効果的で安全であり、経済的サイクルと優れた利点を有する。
【課題を解決するための手段】
【００１０】
本発明の技術構想は以下のとおりである。
【００１１】
バイオマス発電所からの燃焼排ガスを利用した閉じ込められた空間における害虫抑制の方法は、バイオマス発電所からの燃焼排ガスを処理して、85 v. %を超える二酸化炭素の体積濃度をもつ、処理燃焼排ガスを得る工程、閉じ込められた空間で、モードI、モードII、またはそれらの組み合わせによって、害虫抑制を行う工程を含む。
【００１２】
モードI：休閑期間の間、閉じ込められた空間において、処理燃焼排ガスを連続的に通気して、前記閉じ込められた空間のガス圧を0.110〜0.140MPa（絶対圧）、前記閉じ込められた空間の二酸化炭素の体積濃度を50〜90 v. %にする。一定の保持時間の後、前記閉じ込められた空間が通常の状態に戻るまで、燃焼排ガスの通気を停止する。
【００１３】
モードII：疾病や害虫が作物の植付過程において発生した時、その閉じ込められた空間において処理燃焼排ガスを連続的に通気し、前記閉じ込められた空間のガス圧を0.110〜0.140MPa（絶対圧）に、前記閉じ込められた空間の二酸化炭素の体積濃度を50〜90 v. %に到達させる。それぞれの燃焼排ガスの連続的な導入時間を15〜60分に制御し、その後圧力が通常に戻り、二酸化炭素の体積濃度が5 v. %以下に下がるまで処理燃焼排ガスの導入を停止する。一定の間隔の後、閉じ込められた空間において処理燃焼排ガスを通気することを繰り返す。
【００１４】
本発明の改良として、閉じ込められた空間は温室やビニールハウスである。
【００１５】
本発明の改良として、モードIにおいて、閉じ込められた空間は、高温で蒸し暑い期間であり、閉じ込められた空間の温度は40〜75℃、望ましくは65℃である。閉じ込められた空間は、8〜12日、望ましくは10日、継続的に燃焼排ガスが通気される。閉じ込められた空間の圧力は0.110〜0.120MPa（絶対圧）である。閉じ込められた空間の二酸化炭素の体積濃度は80〜90v.%である。
【００１６】
本発明の改良として、モードIIにおける、各処理の間隔は、2〜10時間で制御される。処理は3〜10回繰り返される。閉じ込められた空間の温度は15〜35℃である。
【００１７】
本発明の改良として、バイオマス発電所からの燃焼排ガスは、気液分離、圧力スイング吸着で処理される。吸着剤は特定の二酸化炭素の選択的吸着剤であり、吸着圧力は0.5〜1.5MPaである。
【００１８】
本発明の改良として、特定の二酸化炭素の選択的吸着剤は、シリカゲル、活性炭、またはモレキュラーシーブである。
【００１９】
本発明の改良として、閉じ込められた空間に入る処理燃焼排ガスの圧力は、0.30〜0.50MPaであり、好適には0.35MPaである。
【００２０】
バイオガス発電所からの燃焼排ガスを利用した閉じ込められた空間における害虫抑制システムは、燃焼排ガス処理装置、処理燃焼排ガスの貯蔵タンク、制御装置を含む。燃焼排ガス処理装置の排出管は、処理燃焼排ガスの貯蔵タンクに接続され、処理燃焼排ガスの貯蔵タンクは閉じ込められた空間に接続される。第一調整弁は、処理燃焼排ガスの貯蔵タンクと閉じ込められた空間の間のガス注入管に配置されている。第一圧力監視センサと二酸化炭素濃度監視センサは、閉じ込められた空間内に配置され、第一大気弁は閉じ込められた空間の上方に配置されている。制御装置は第一圧力監視センサと二酸化炭素濃度監視センサに接続され、それらからの検出信号を受信している。制御装置は第一調整弁と第一大気弁に接続され、開度を調整し、閉じ込められた空間における、圧力や二酸化炭素濃度の範囲をそれぞれ調整する。
【００２１】
本発明の改良として、燃焼排ガス処理装置は、気液分離装置、ガス圧縮装置、圧力スイング吸着装置を含む。圧力スイング吸着装置は多重床スイング圧力吸着を採用し、複数の吸着塔が並行に配置されて形成されている。各吸着塔には特定の二酸化炭素の選択的吸着剤が詰まっている。各吸着塔の頂部には第二大気弁が設けられており、底部には吸入分岐管と、排出分岐管として機能する、2本の分岐管がそれぞれ設けられている。各吸入分岐管には吸入調整弁が設けられおり、全ての吸入分岐管は吸入メイン管を形成するように接続されている。各排出分岐管には、排出調整弁が設けられており、全ての排出分岐管は排出メイン管を形成するように接続されている。気液分離装置のガス出口はガス圧縮装置に接続されている。ガス圧縮装置は圧力スイング吸着装置の吸入メイン管に接続されている。圧力スイング吸着装置の排出メイン管は処理燃焼排ガスの貯蔵タンクに接続されている。
【００２２】
圧力スイング吸着は、次の工程を含む。それぞれの吸着塔の吸入調整弁と第二大気弁を開き、同調してバイオマス発電所からの燃焼排ガスを吸着状態にある複数の吸着塔に導入し、燃焼排ガスを底部から頂部まで吸着剤層を通過させ、吸着塔の外の大気へガスを排出する工程と、吸着された燃焼排ガスの先端が吸着層の出口に到達した時、圧力スイング吸着装置の吸入調整弁と第二大気弁を閉じて、燃焼排ガスの吸入と吸着を停止する工程と、吸着と反対方向である脱着の後、排出調整弁を開き、貯蔵のためにCO2を処理燃焼排ガスの貯蔵タンクに導入する工程と、そして、各吸着塔の圧力が通常の圧力に下がったら、清掃のためにバイオマスプラントから燃焼排ガスを導入し、各吸着塔の吸着剤を完全に再生させ、そして清掃ガスを大気へ排出し、吸着圧力になるまで徐々に圧力を増加し、次の吸着サイクルを開始する工程である。
【００２３】
本発明の改良として、処理燃焼排ガスの貯蔵タンクには、第二圧力監視センサを設ける。第二調整弁が処理燃焼排ガスの貯蔵タンクの上部に配置されている。制御装置は第二圧力監視センサに接続され、そこからの検知信号を受信し、また、第二調整弁に接続され、処理燃焼排ガスの貯蔵タンクの出口の圧力が設定圧力に達するように制御する。
【００２４】
本発明の改良として、閉じ込められた空間には、さらに、温度監視センサが設けられている。温度監視センサは制御装置に接続され、閉じ込められた空間における温度を監視する。
【００２５】
本発明の改良として、閉じ込められた空間の換気端は換気のため誘引通風機に接続されている。
【００２６】
バイオマス発電所からの燃焼排ガスは浄化され、二酸化炭素の含有量が高く、その他の有毒成分の含有量が低い処理燃焼排ガスを得る。処理燃焼排ガスは休閑期間、または疾病や害虫の発生時に閉じ込められた空間に吸入され、真菌および細菌の胞子、虫の卵、蛹等の様々な有害生物の残留繁殖体を安全に、効率的に取り除き、それによってグリーン農業や有機農業を積極的に手助けする。また、処理燃焼排ガスは、含まれる二酸化炭素の含有量を制御することによって、閉じ込められた空間で、植物成長期に肥料として用いられ、作物の収穫量を向上し、さらにバイオマス発電所からの燃焼排ガスを総合的な利用を実現する。圧力スイング吸着は、吸着剤の様々なガスへの吸着能力が圧力の変化によって変わる、吸着剤の性能に基づいて採用される。二酸化炭素は圧力の増加とともに吸着され、圧力の減少とともに脱着され、一方、弱く吸着された他の成分は吸着層を通過する。したがって、バイオマス発電所からの燃焼排ガス中の二酸化炭素は濃縮され、SO2等の有害な成分の含有量はさらに減少する。
【発明の効果】
【００２７】
本発明の利点は、以下のように要約される。
【００２８】
バイオマス発電所からの燃焼排ガスを利用した閉じ込められた空間における害虫抑制方法は、プロセスが単純で、効果が良好であり、抑制が安全で、薬物耐性がなく、残留物がでない。バイオマス発電所からの燃焼排ガスは、害虫抑制のための原料として用いられるので、この方法は経済的サイクル、優れた利点、便利な広い応用力を有する。
【００２９】
自動制御が実現され、操作が単純である。
【図面の簡単な説明】
【００３０】
【図１】図１は、バイオマス発電所からの燃焼排ガスを利用した閉じ込められた空間における害虫抑制のシステムの構成図である。
【発明を実施するための形態】
【００３１】
本発明をさらに説明するため、バイオマス発電所からの燃焼排ガスを利用した閉じ込められた空間における害虫抑制方法とシステムを詳述する実験を以下に記載する。なお、以下の実施例は本発明を説明し、限定する意図はないことに留意すべきである。
【００３２】
害虫は、特に限定はなく、農作物を危険にさらす、昆虫や節足動物、線虫、真菌、細菌の繁殖体を含む。例えば、灰色カビ、病、腐葉土、べと病を引き起こす真菌や細菌の胞子や菌糸体、アブラムシやコナジラミ、コナガ、夜蛾、線虫の害虫繁殖体の卵や蛹である。
【００３３】
特定の実験は、次のように行われた。
【００３４】
試験区には、過去に害虫が発生した履歴のある土地が選ばれた。ビニールハウスや温室などの閉じ込められた空間で農作物が植えられた。試験作物は、それぞれ、燃焼排ガス処理グループとしては燃焼排ガスによって処理され、対照処理グループとしては化学的抑制によって処理された。別の試験区に植えられた試験作物は害虫抑制処理が行われず、ブランク対照グループとして用いられる。害虫と疾病抑制率は次の式を用いて計算される。
【００３５】
害虫抑制率（％）=[1 - （害虫数/ブランク対照グループの害虫数）]×100
【００３６】
疾病抑制率（％）=[1 - （疾病指標/ブランク対照グループの疾病指数）]×100
【実施例１】
【００３７】
試験区：コナガの発生が過去に深刻だった試験区。
【００３８】
試験作物：温室に植えた、キャベツ。
【００３９】
燃焼排ガス処理グループ：
【００４０】
バイオマス発電所からの燃焼排ガスを利用した閉じ込められた空間における害虫抑制システムは、気液分離装置１、圧縮装置２、圧力スイング吸着装置３、処理燃焼排ガスの貯蔵タンク４、および制御装置６を含む。圧力スイング吸着装置は、並行に配置された複数の吸着塔を含む。各吸着塔には、特定の二酸化炭素の選択的吸着剤であるモレキュラーシーブが詰まっている。各吸着塔の頂部には第二大気弁９が設けられており、底部には各吸着塔の吸入分岐管と、排出分岐管として機能する、2本の分岐管がそれぞれ設けられている。各吸入分岐管には吸入調整弁７が設けられおり、全ての吸入分岐管は吸入メイン管を形成するように接続されている。各排出分岐管には、排出調整弁８が設けられており、全ての排出分岐管は排出メイン管を形成するように接続されている。気液分離装置１のガス出口は、圧縮装置２に接続されている。圧縮装置は圧力スイング吸着装置３の吸入メイン管に接続されている。圧力スイング吸着装置の排出メイン管は処理燃焼排ガスの貯蔵タンク４に接続されている。処理燃焼排ガスの貯蔵タンクは閉じ込められた空間５に接続される。第一調整弁１２は、処理燃焼排ガスの貯蔵タンクと閉じ込められた空間の間のガス注入管に配置されている。第一圧力監視センサ13と二酸化炭素濃度監視センサ14は、閉じ込められた空間内の上部に配置され、第一大気弁は閉じ込められた空間の上方に配置されている。制御装置６は第一圧力監視センサと二酸化炭素濃度監視センサに接続され、それらからの検出信号を受信している。制御装置は第一調整弁と第一大気弁に接続され、開度を調整し、閉じ込められた空間における、圧力や二酸化炭素濃度の範囲をそれぞれ調整する。閉じ込められた空間の換気端は換気のため誘引通風機に接続されている。処理燃焼排ガスの貯蔵タンクには、第二圧力監視センサ11および第二調整弁10を設ける。制御装置は第二圧力監視センサに接続され、そこからの検知信号を受信し、また、第二調整弁に接続され、処理燃焼排ガスの貯蔵タンクの出口の圧力を制御する。すなわち、閉じ込められた空間に入り込む燃焼排ガスの圧力が設定圧力に達するように制御する。閉じ込められた空間の上部には、温度監視センサが配置されている。温度監視センサは制御装置に接続され、閉じ込められた空間における温度を監視する。閉じ込められた空間は温室である。
【００４１】
上記のシステムにおいて、温度が140℃でCO2濃度が14 v. %であるバイオガス発電所からの燃焼排ガスは、分離のため気液分離装置を通り、圧縮装置を通り、そして圧力スイング吸着装置に流れこみ処理される。圧力スイング吸着装置の処理は次のように行われる。各吸着塔の吸入調節弁と第二大気弁を開き、同調してバイオマス発電所からの燃焼排ガスを吸着状態にある４つの吸着塔に導入し、燃焼排ガスを底部から頂部まで吸着剤層を通過させ、吸着塔から流れ出るガスを大気へ排出する。吸着された燃焼排ガスの先端が吸着層の出口に到達した時、圧力スイング吸着装置の吸入調整弁と第二大気弁を閉じて、燃焼排ガスの導入を停止し、対応して吸着が停止する。吸着と反対方向である脱着の後、排出調整弁が開かれ、CO2を処理燃焼排ガスの貯蔵タンクに排出し、二酸化炭素濃度が96 v. %である処理燃焼排ガスを貯蔵する。各吸着塔の圧力が通常の圧力に下がったら、清掃のためにバイオマスプラントから燃焼排ガスを導入し、各吸着塔の吸着剤を完全に再生させ、そして清掃ガスを大気へ排出する。その後、吸着圧力になるまで徐々に圧力を増加し、次の吸着サイクルを開始する。
【００４２】
処理燃焼排ガスの貯蔵タンクの出口における処理燃焼排ガスの圧力、すなわち、閉じ込められた空間に入る処理燃焼排ガスの圧力は、処理燃焼排ガスのタンクの出口の圧力を監視する第二圧力監視センサを用いて、また、第２制御弁の開度を制御する制御装置を用いて、0.35MPaに制御される。蒸し暑い期間に、キャベツの植付がされる前に、温室に燃焼排ガスが導入される。第一圧力監視センサと、二酸化炭素濃度センサが、ビニールハウス内の圧力と二酸化炭素濃度をそれぞれ検出するのに用いられ、制御装置は第一制御弁と第一大気弁の開度を調節するために用いられビニールハウス内の圧力が0.120MPa（絶対圧）に制御され、二酸化炭素の体積濃度は80 v. %に制御され、温度監視センサによって監視されるビニールハウス内の温度は65℃である。上記のパラメータは、８日間維持される。その後、燃焼排ガスの導入を停止し、二酸化炭素の体積濃度が通常状態（0.03 v. %）に戻り温度が室温に戻るまで、閉じ込められた空間の換気端は換気のため１〜３日間開かれる。換気過程において、必要であれば高速換気を実現するために誘引通風器が利用される。その後、キャベツが植えられる。キャベツの成長のロゼット段階と結球段階において、閉じ込められた空間は貯蔵タンクから継続的に燃焼排ガスが通気され、その処理は一定の間隔をあけて繰り返される。一方、第一圧力監視センサおよび二酸化炭素濃度センサを用いてビニールハウス内の圧力と二酸化炭素濃度をそれぞれ検出し、制御装置を用いて第一制御弁と第一大気弁の開度を制御し、閉じ込められた空間におけるガス圧力は0.115MPa（絶対圧）に到達し、二酸化炭素の体積濃度は80 v. %に到達し、温度監視センサによって監視されるビニールハウス内の温度は２５℃である。１５分の処理燃焼排ガスの各継続的導入の後、閉じ込められた空間は、圧力が通常になり、二酸化炭素の体積濃度が5 v. %以下に減少するまで、換気される。上記の処理は５時間の間隔を開けて１０回繰り返される。
【００４３】
対照処理グループ：キャベツの種まき段階の間に、バチルス・チューリンゲンシスの1000倍液を１回噴霧し、アベルメクチンの1000倍液を２回噴霧する。５％フルフェノクスロンの1000倍液をロゼット段階の間に噴霧し、25％のクロロベンズロンの800倍液を結球段階の間に１回噴霧する。
【００４４】
ブランク対照グループ：抑制処理が行われない。
【００４５】
キャベツの収穫時期において、20個のサンプルを上記３つのグループからそれぞれチェッカーボード法を用いて集める。コナガの幼虫の数を数え、害虫抑制率をそれぞれ計算する。その特定の結果を、表１に示す。
【実施例２】
【００４６】
試験区：ノミハムシの発生が過去に深刻だった試験区。
【００４７】
試験作物：温室に植えた、大根。
【００４８】
燃焼排ガス処理グループ：
【００４９】
バイオマス発電所からの燃焼排ガスを処理するために、実施例１における、閉じ込められた空間における害虫抑制システムが使用され、具体的には次のように行われる。
【００５０】
大根の植え付けの前に、蒸し暑い時期の間、温室は継続的に、貯蔵タンクからの二酸化炭素の体積濃度が96v. ％を超える処理燃焼排ガスで通気する。温室の圧力は0.130MPaに制御され、二酸化炭素の体積濃度は85v. %に制御される。温度監視センサにより監視される温度は70℃である。10日間維持した後、温室内の温度と圧力が通常の状態に戻るまで燃焼排ガスの導入は停止される。その後、大根が植えられる。大根の多肉根の成長期において、閉じ込められた空間は貯蔵タンクからの処理燃焼排ガスが継続的に通気され、一定の間隔のあとに処理を繰り返し、各処理の間、圧力を0.115MPa（絶対圧）に、二酸化炭素の体積濃度を70 v. %に、温度監視センサにより監視される温度を20℃に到達させる。各処理の１８分後、閉じ込められた空間は、中の圧力が通常に戻るまで、二酸化炭素の体積濃度が5 v. %以下に減少するまで、換気される。上記の処理は１０時間の間隔で５回繰り返す。
【００５１】
対照処理グループ：イミダクロプリド10％の水分散性粉末（WP）の800倍液は大根の幼苗期中に一度適用され、20％クロルピリホスの800倍液は膨張期間に適用される。
【００５２】
ブランク対照グループ：抑制処理が行われない。
【００５３】
大根の収穫期間において、30個のサンプルを上記３つのグループからそれぞれチェッカーボード法を用いて集める。ノミハムシの幼虫と成虫の数を数え、害虫抑制率をそれぞれ計算する。その特定の結果を、表１に示す。
【実施例３】
【００５４】
試験区：夜蛾の発生が過去に深刻だった試験区。
【００５５】
試験作物：温室に植えたカラシナ。
【００５６】
燃焼排ガス処理グループ：
【００５７】
バイオマス発電所からの燃焼排ガスを処理するために、実施例１における、閉じ込められた空間における害虫抑制システムが使用され、具体的には次のように行われる。
【００５８】
カラシナの植え付けの前に、蒸し暑い時期の間、温室は、貯蔵タンクからの二酸化炭素の体積濃度が96v. ％を超える処理燃焼排ガスで継続的に通気される。温室の圧力は0.126MPaに制御され、二酸化炭素の体積濃度は80v. %に制御される。温度監視センサにより監視される温度は70℃である。9日間維持した後、温室内の温度と圧力が通常の状態に戻るまで燃焼排ガスの導入は停止される。その後、カラシナが植えられる。カラシナの生育期間において、閉じ込められた空間は貯蔵タンクからの処理燃焼排ガスが継続的に通気され、一定の間隔のあとに処理を繰り返し、各処理の間、圧力を0.125MPa（絶対圧）に、二酸化炭素の体積濃度を85 v. %に、温度監視センサにより監視される温度を30℃に到達させる。各処理の15分後、閉じ込められた空間は、中の圧力が通常に戻るまで、二酸化炭素の体積濃度が5 v. %以下に減少するまで、換気される。上記の処理は6時間の間隔で7回繰り返す。
【００５９】
対照処理グループ：48％レジベンの800倍液および5％のフィプロニルの800倍液はカラシナの幼苗期の間に、それぞれ一度に適用され、10％シペルメトリン及びフェンバレレートECが、生育期間に、それぞれ一度に適用される。
【００６０】
ブランク対照グループ：抑制処理が行われない。
【００６１】
カラシナの収穫期間において、30個のサンプルを上記３つのグループからそれぞれチェッカーボード法を用いて集める。夜蛾の幼虫の数を数え、害虫抑制率をそれぞれ計算する。その特定の結果を、表１に示す。
【実施例４】
【００６２】
試験区：サツマイモネコブセンチュウの発生が過去に深刻だった試験区。
【００６３】
試験作物：ビニールハウスに植えたキュウリ。
【００６４】
燃焼排ガス処理グループ：
【００６５】
バイオマス発電所からの燃焼排ガスを処理するために、実施例１における、閉じ込められた空間における害虫抑制システムが使用され、具体的には次のように行われる。
【００６６】
キュウリの植え付けの前に、蒸し暑い時期の間、ビニールハウスは継続的に、貯蔵タンクからの二酸化炭素の体積濃度が96v. ％を超える処理燃焼排ガスで通気される。ビニールハウスの圧力は0.115MPaに制御され、二酸化炭素の体積濃度は80v. %に制御される。温度監視センサにより監視される温度は50℃である。11日間維持した後、温室内の温度と圧力が通常の状態に戻るまで燃焼排ガスの導入は停止される。その後、キュウリが植えられる。キュウリの摘み取り期間において、閉じ込められた空間は貯蔵タンクからの処理燃焼排ガスが継続的に通気され、一定の間隔のあとに処理を繰り返し、各処理の間、圧力を0.115MPa（絶対圧）に、二酸化炭素の体積濃度を80 v. %に、温度監視センサにより監視される温度を20℃に到達させる。各処理の30分後、閉じ込められた空間は、中の圧力が通常に戻り、二酸化炭素の体積濃度が5 v. %以下に減少するまで、換気される。上記の処理は8時間の間隔で8回繰り返す
【００６７】
対照処理グループ：キュウリの幼苗期の間にアベルメクチンの800倍液が１回適用され、アルオパイジの500倍液が2回適用される。
【００６８】
キュウリの収穫期間において、20個のサンプルを上記３つのグループからそれぞれチェッカーボード法を用いて集める。根瘤と卵の数（幼虫の数と等しい）を数え、疾病処理率をそれぞれ計算する。その特定の結果を、表１に示す。
【実施例５】
【００６９】
試験区：トマトの枯病の発生が過去に深刻だった試験区。
【００７０】
試験作物：温室に植えたトマト
【００７１】
燃焼排ガス処理グループ：
【００７２】
バイオマス発電所からの燃焼排ガスを処理するために、実施例１における、閉じ込められた空間の害虫抑制システムが使用され、具体的には次のように行われる。
【００７３】
トマトの植え付けの前に、蒸し暑い時期の間、温室は継続的に、貯蔵タンクからの二酸化炭素の体積濃度が96 v. ％を超える処理燃焼排ガスで通気される。温室の圧力は0.128MPaに制御され、二酸化炭素の体積濃度は85 v. %に制御される。温度監視センサにより監視される温度は70℃である。11日間維持した後、温室内の温度と圧力が通常の状態に戻るまで燃焼排ガスの導入は停止される。その後、トマトが植えられる。トマトの幼苗期と開花期において、閉じ込められた空間は貯蔵タンクからの処理燃焼排ガスが継続的に通気され、一定の間隔のあとに処理を繰り返し、各処理の間、圧力を0.130MPa（絶対圧）に、二酸化炭素の体積濃度を85 v. %に、温度監視センサにより監視される温度を20℃に到達させる。各処理の25分後、閉じ込められた空間は、中の圧力が通常に戻るまで、二酸化炭素の体積濃度が5 v. %以下に減少するまで、換気される。上記の処理は8時間の間隔で2回繰り返す。
【００７４】
対照処理グループ：60％のカルベンダジムの600倍液は播種前に種子粉衣に使用される。4％のトルクロホスメチルの700倍液は幼苗期中に一回適用され、リン酸二水素アレキシンは、果実の膨張期間の間に一回適用される。
【００７５】
ブランク対照グループ：制御処理が行われない。
【００７６】
トマトの収穫期間において、枯病の調査のために、20個のサンプルを上記３つのグループからそれぞれチェッカーボード法を用いて集める。３つのグループの疾病発生を計算し、疾病処理率をそれぞれ計算する。その特定の結果を、表１に示す。
【実施例６】
【００７７】
試験区：アンスリウムの細菌枯病の発生が過去に深刻だった試験区。
【００７８】
試験作物：温室に植えた花アンスリウム。
【００７９】
燃焼排ガス処理グループ：
【００８０】
バイオマス発電所からの燃焼排ガスを処理するために、実施例１における、閉じ込められた空間における害虫抑制システムが使用され、具体的には次のように行われる。
【００８１】
アンスリウムの植え付けの前に、蒸し暑い時期の間、温室は継続的に、貯蔵タンクからの処理燃焼排ガスで通気される。温室の圧力は0.115MPaに制御され、二酸化炭素の体積濃度は70v. %に制御される。温度監視センサにより監視される温度は66℃である。10日間維持した後、温室内の温度と圧力が通常の状態に戻るまで燃焼排ガスの導入は停止される。その後、アンスリウムが植えられる。アンスリウムの初期の開花期において、閉じ込められた空間は貯蔵タンクからの処理燃焼排ガスが継続的に通気され、一定の間隔のあとに処理を繰り返し、各処理の間、圧力を0.115MPa（絶対圧）に、二酸化炭素の体積濃度を80 v. %に、温度監視センサにより監視される温度を20℃に到達させる。各処理の20分後、閉じ込められた空間は、中の圧力が通常に戻るまで、二酸化炭素の体積濃度が5 v. %以下に減少するまで、換気される。上記の処理は10時間の間隔で8回繰り返す。
【００８２】
対照処理グループ：200 ppmのストレプトマイシンや200 ppmのテトラサイクリンはアンスリウムの幼苗期に二回適用され、200 ppmのストレプトマイシンや200 ppmのテトラサイクリンはアンスリウムの蕾状期に一回適用される。
【００８３】
ブランク対照グループ：抑制処理が行われない。
【００８４】
アンスリウムの見頃の時期に、枯病の調査のために、20個のサンプルを上記３つのグループからそれぞれチェッカーボード法を用いて集める。３つのグループの疾病発生を計算し、疾病処理率をそれぞれ計算する。その特定の結果を、表１に示す。
【００８５】
【表１】
0005917714.tif 000002
【００８６】
本発明の特定の実施形態を示し、説明してきたが、変更及び改変はより広い態様において本発明から逸脱することなくなされてもよいことは当業者には明らかであり、したがって添付の特許請求の範囲の目的は、真の精神とおよび発明の範囲内にあるそのような全ての変更及び改変等をカバーすることである。
【符号の説明】
【００８７】
1・・・気液分離装置
2・・・圧縮装置
3・・・圧力スイング吸着装置
4・・・処理燃焼排ガスの貯蔵タンク
5・・・閉じ込められた空間
6・・・制御装置
7・・・吸入調整弁
8・・・排出調整弁
9・・・第二大気弁
10・・・第二調整弁
11・・・第二圧力監視センサ
12・・・空気流入調整弁
13・・・第一圧力監視センサ
14・・・二酸化炭素濃度監視センサ
15・・・温度監視センサ
16・・・第一大気弁
17・・・誘引通風機
【図１】
0005917714.tif 000003